(57)【要約】 【課題】  手押し荷車を押す力を軽減することができ、荷台に重量物を載せたときや坂道を登るときでも軽い力で手押し荷車を押すことができる電動手押し荷車を提供する。【解決手段】  荷台１と、該荷台１の底面に設けた車輪２，３と、該荷台１に設けた手押し用ハンドル４とからなり、前記車輪３を駆動する電動モータ５と、該電動モータ５に電気を供給するバッテリー６と、該電動モータ５の駆動操作を行う操作部７を設けてある。【選択図】    図１
0003108369.tif 000002
【実用新案登録請求の範囲】
【請求項１】
荷台と、該荷台の底面に設けた車輪と、該荷台に設けた手押し用ハンドルとからなる手押し荷車であって、前記車輪を駆動する電動モータと、該電動モータに電気を供給するバッテリーと、該電動モータの駆動操作を行う操作部を設けた電動手押し荷車。
【請求項２】
前記操作部を前記手押し用ハンドルに設けた請求項１に記載の電動手押し荷車。
【請求項３】
前記電動モータ及び前記バッテリーを前記荷台の底面に設けた請求項１又は２に記載の電動手押し荷車。
【請求項４】
前記荷台に重量センサを設け、該重量センサが感知した重量に応じて前記電動モータの出力を制御するようにした請求項１乃至３のいずれかに記載の電動手押し荷車。
【請求項５】
前記手押し用ハンドルを前記荷台の上面後端部に折り畳み可能に設けた請求項１乃至４のいずれかに記載の電動手押し荷車。
【考案の詳細な説明】
【技術分野】
【０００１】
本考案は、荷台に荷物を載せて運搬する電動手押し荷車に関する。
【背景技術】
【０００２】
従来、手押し荷車は、荷台と、荷台の底面に設けた車輪と、荷台に設けた手押し用ハンドルとからなり、自動車が入れない路地や建物内等において荷物を運ぶ際に、荷物を荷台に載せて人が手押し用ハンドルを押して運搬していた。
【考案の開示】
【考案が解決しようとする課題】
【０００３】
しかし、従来の手押し荷車は人力のみにより荷物を運搬していたために、荷台に重量物を載せたり坂道を登ったりするときには大きな力が必要になり、一人で荷物を運搬することが困難になる場合があるという課題があった。
【０００４】
そこで、本考案は、手押し荷車を押す力を軽減することができ、荷台に重量物を載せたときや坂道を登るときでも軽い力で手押し荷車を押すことができる電動手押し荷車を提供するものである。
【課題を解決するための手段】
【０００５】
本考案は、上記課題を解決するために、荷台と、該荷台の底面に設けた車輪と、該荷台に設けた手押し用ハンドルとからなる手押し荷車であって、前記車輪を駆動する電動モータと、該電動モータに電気を供給するバッテリーと、該電動モータの駆動操作を行う操作部を設けた電動手押し荷車を提供するものである。
【０００６】
また、本考案は、前記操作部を前記手押し用ハンドルに設けた請求項１に記載の電動手押し荷車を提供するものである。
【０００７】
また、本考案は、前記電動モータ及び前記バッテリーを前記荷台の底面に設けた請求項１又は２に記載の電動手押し荷車を提供するものである。
【０００８】
また、本考案は、前記荷台に重量センサを設け、該重量センサが感知した重量に応じて前記電動モータの出力を制御するようにした請求項１乃至３のいずれかに記載の電動手押し荷車を提供するものである。
【０００９】
また、本考案は、前記手押し用ハンドルを前記荷台の上面後端部に折り畳み可能に設けた請求項１乃至４のいずれかに記載の電動手押し荷車を提供するものである。
【考案の効果】
【００１０】
本考案に係る電動手押し荷車によれば、荷台と、該荷台の底面に設けた車輪と、該荷台に設けた手押し用ハンドルとからなる手押し荷車であって、前記車輪を駆動する電動モータと、該電動モータに電気を供給するバッテリーと、該電動モータの駆動操作を行う操作部を設けた構成を有することにより、操作部を操作して電動モータで車輪を駆動することによって、手押し用ハンドルを押す力を軽減することができ、荷台に重量物を載せたときや坂道を登るときでも軽い力で手押し荷車を押すことができる効果がある。
【００１１】
また、本考案は、前記操作部を前記手押し用ハンドルに設けた請求項１に記載の構成を有することにより、手押し用ハンドルから手を離すことなく電動モータの駆動操作を行うことができる効果がある。
【００１２】
また、本考案は、前記電動モータ及び前記バッテリーを前記荷台の底面に設けた請求項１又は２に記載の構成を有することにより、荷台の上面をフラットに形成することができる効果がある。
【００１３】
また、本考案は、前記荷台に重量センサを設け、該重量センサが感知した重量に応じて前記電動モータの出力を制御するようにした請求項１乃至３のいずれかに記載の構成を有することにより、荷台に載せる荷物の重量に応じて電動モータの出力を大きくすることができるから、荷物が軽いときには電動モータの出力を小さくしてバッテリーの消耗を防ぐことができる。一方、荷物が重いときには電動モータの出力を大きくして手押し荷車を押す力を軽減することができる効果がある。
【００１４】
また、本考案は、前記手押し用ハンドルを前記荷台の上面後端部に折り畳み可能に設けた請求項１乃至４のいずれかに記載の構成を有することにより、電動手押し荷車を保管したり持ち運んだりするときに、手押し用ハンドルを折り畳んでコンパクトにすることができる効果がある。
【考案を実施するための最良の形態】
【００１５】
本考案の実施の形態を図示する実施例に基づいて説明する。
本考案に係る電動手押し荷車は、荷台１と、該荷台１の底面に設けた車輪２，３と、該荷台１に設けた手押し用ハンドル４とからなり、前記車輪３を駆動する電動モータ５と、該電動モータ５に電気を供給するバッテリー６と、該電動モータ５の駆動操作を行う操作部７を設けてある。
【実施例１】
【００１６】
図１に示すように、荷台１の底面前方には、水平方向に回転自在なブラケット１２を左右に設け、これらのブラケット１２に車輪２を回転自在に設けてある。また、荷台１の底面後方には、ブラケット１３を左右に固設してあり、これらのブラケット１３に車輪３を前後方向に回転自在に設けてある。
【００１７】
図１に示す実施例において、手押し用ハンドル４は、荷台１の上面後端部に係止機構８を介して折り畳み可能に設けてある。手押し用ハンドル４は、使用時には係止機構８と係合して荷台１に対して略垂直に固定され、この手押し用ハンドル４を押すことにより荷車を操舵して走行させることができるようにしてあり、収納時には手押し用ハンドル４と係止機構８との係合を外すことにより、手押し用ハンドル４を荷台１側に倒して折り畳むことができるように構成してある。
【００１８】
図１に示す実施例において、電動モータ５は荷台１の底面に設けてあり、電動モータ５の出力軸に設けたスプロケット９と、左右の車輪３を繋ぐ車軸１４に設けたスプロケット１０と、チェーン１１によって電動モータ５の駆動力を車輪３に伝達することができるように構成してある。
また、バッテリー６は、荷台１の底面に設けて電動モータ５に電力を供給することができるようにしてある。電動モータ５には直流モータを使用することができる他、ＤＣ／ＡＣ変換器を介して交流モータを使用することもできる。
【００１９】
図１に示す実施例において、操作部７は、電動モータのＯＮ／ＯＦＦや出力を調整する調整機構からなり、手押し用ハンドル７に設けてある。また、手押し用ハンドル７にタッチセンサーを設けて、手押し用ハンドル７を握っている場合にのみ電動モータ５が駆動し、手押し用ハンドル７から手を離すと電動モータ５が停止することができる安全装置を設けることも可能である。
また、荷台１には重量センサを設けることもでき、この重量センサが感知した重量に応じて電動モータ５の出力を制御するようにすることも可能である。
【図面の簡単な説明】
【００２０】
【図１】本考案電動手押し荷車の一実施例を示す側面図。
【符号の説明】
【００２１】
１  荷台
２，３  車輪
４  手押し用ハンドル
５  電動モータ
６  バッテリー
７  操作部
８  係止機構
９，１０  スプロケット
１１  チェーン
１２，１３  ブラケット
１４  車軸
【図１】
0003108369.tif 000003